(57)【要約】  ベンジリデン（１，３−ジメチル−４−イミダゾリジン−２−イリデン）（トリシクロヘキシルホスフィン）ルテニウムジクロリドを含むメタセシス重合触媒と、２−ノルボルネンやテトラシクロ［６．２．１．１3,6．０2,7］ドデカ−４−エンなどのシクロオレフィンモノマーと、アリルメタクリレートなどの連鎖移動剤と、シラスバルーンなどの中空粒子とを混合し重合性組成物を得た。該重合性組成物を支持体に塗布または含浸し、塊状重合して架橋性樹脂複合体を得、該複合体を架橋することによって、架橋樹脂複合体を得る。【特許請求の範囲】
【請求項１】
シクロオレフィンモノマー、メタセシス重合触媒、連鎖移動剤、架橋剤、および中空粒子を含む重合性組成物。
【請求項２】
中空粒子の一次粒子のメディアン径が５０μｍ以下である請求項１に記載の重合性組成物。
【請求項３】
中空粒子の空隙率が１０体積％以上である請求項１または２に記載の重合性組成物。
【請求項４】
中空粒子の含有率が０．１〜８０体積％である請求項１〜３のいずれかに記載の重合性組成物。
【請求項５】
中空粒子が無機中空粒子である請求項１〜４のいずれかに記載の重合性組成物。
【請求項６】
中空粒子がカップリング剤で表面処理されたものである請求項１〜５のいずれかに記載の重合性組成物。
【請求項７】
メタセシス重合触媒がルテニウムカルベン錯体である請求項１〜６のいずれかに記載の重合性組成物。
【請求項８】
請求項１〜７のいずれかに記載の重合性組成物を塊状重合して得られる、架橋性樹脂。
【請求項９】
請求項１〜７のいずれかに記載の重合性組成物を塊状重合する工程を含む、架橋性樹脂の製造方法。
【請求項１０】
請求項１〜７のいずれかに記載の重合性組成物を支持体に塗布または含浸し、塊状重合する工程を含む、架橋性樹脂複合体の製造方法。
【請求項１１】
請求項８に記載の架橋性樹脂を架橋する工程を含む、架橋体の製造方法。
【請求項１２】
請求項８に記載の架橋性樹脂の成形体を支持体上で架橋する工程を含む、架橋樹脂複合体の製造方法。
【請求項１３】
請求項１０に記載の架橋性樹脂複合体の製造方法で得られる架橋性樹脂複合体を架橋する工程を含む、架橋樹脂複合体の製造方法。
【請求項１４】
前記架橋を別の支持体上で行う、請求項１３に記載の架橋樹脂複合体の製造方法。
【発明の詳細な説明】
【技術分野】
【０００１】
本発明は、重合性組成物及び架橋性樹脂並びにそれの製造方法に関する。より詳細には、電気回路基板に使用する電気材料等として好適な架橋性樹脂を得ることができる重合性組成物、及びそれを用いて得られる架橋性樹脂、架橋性樹脂等の製造方法、並びに電気絶縁性、耐熱性、および誘電特性に優れた架橋体、複合体、積層体などの用途に関する。
【背景技術】
【０００２】
熱可塑性樹脂を有機過酸化物などの架橋剤で架橋させることによって架橋樹脂が得られる。架橋樹脂は、電気機器、特に通信やコンピュータなどに使われる回路基板の絶縁材料としての需要が高まっている。回路基板の絶縁材料には低い比誘電率と高密度配線に耐える耐熱性とが要求される。このような要求に応えるべく様々な提案がなされている。【０００３】
例えば、特許文献１には、ノルボルネン系モノマー、メタセシス重合触媒、連鎖移動剤及び架橋剤を含む重合性組成物が開示されている。特許文献１によれば、この重合性組成物は、流動性を有しているので、支持体である不織布などにしみ込ませたり、フィルム状に成形したりすることができる。そして、この重合性組成物を塊状重合することによって架橋可能な熱可塑性樹脂が得られる。また、この架橋可能な熱可塑性樹脂を金属箔等の基材と積層し、架橋することによって様々な架橋樹脂複合体が得られることを特許文献１は開示している。
【特許文献１】国際公開公報WO2004/003052
【０００４】
特許文献２には、ジシクロペンタジエン樹脂内に気泡または空気室が内包された電気絶縁物が開示されている。この電気絶縁物は、メタセンモノマーとルテニウム錯体触媒とプラスチックバルーンとを配合し、これを硬化させることによって得られると特許文献２は開示している。
【特許文献２】特開２００４−６３３２６号公報
【０００５】
特許文献３には、殻壁の厚みと粒子径の比が１／６から１／１１であるガラス製微小中空球体を熱硬化性樹脂中に混在せしめた樹脂組成物が開示されている。そして、この樹脂組成物を基材に含浸、乾燥することによってプリプレグが得られると教示している。熱硬化性樹脂としては、ジアミンとビスマレイミドとを主成分として含有する熱硬化性のポリイミド樹脂が開示されている。
【特許文献３】特開平６−６５４０７号公報
【発明の開示】
【発明が解決しようとする課題】
【０００６】
本発明者の検討によると、上記特許文献に開示されている樹脂等で得られる架橋体は、高周波数の電気伝導特性に影響する比誘電率がまだ十分に低くなく、低誘電率と低線膨張率との両立が困難であった。また、はんだ耐熱性（はんだによって膨れが生じ難い性質）に乏しかった。
さらに、特許文献２および３に開示されている方法で得られる電気絶縁物は、中空粒子と樹脂との比重の違いにより、成形時に中空粒子が樹脂中で浮くため、電気絶縁物中で中空粒子が偏在し、誘電率に不均一な分布が生じる場合があった。【０００７】
本発明の目的は、電気回路基板に使用する電気材料等として好適な架橋性樹脂を得ることができる重合性組成物、及びそれを用いて得られる架橋性樹脂、架橋性樹脂等の製造方法、並びに、低誘電率と低線膨張率とのバランスに優れ、且つはんだ耐熱性に優れた架橋体、複合体、積層体などの用途を提供することにある。
【課題を解決するための手段】
【０００８】
本発明者らは、上記目的を達成すべく鋭意検討した結果、シクロオレフィンモノマー、およびメタセシス重合触媒を含む重合性組成物に、連鎖移動剤、架橋剤、および中空粒子を含有させ、それを塊状重合することにより架橋性樹脂が得られ、そして、該架橋性樹脂を用いると、低誘電率と低線膨張率とのバランスに優れ、且つはんだ耐熱性に優れた架橋体が得られることを見出した。本発明は、この知見に基づき、さらに検討し、完成するに至ったものである。【０００９】
すなわち、本発明は、以下の態様を含むものである。
（１）  シクロオレフィンモノマー、メタセシス重合触媒、連鎖移動剤、架橋剤、および中空粒子を含む重合性組成物。
（２）  中空粒子の一次粒子のメディアン径が５０μｍ以下である前記の重合性組成物。
（３）  中空粒子の空隙率が１０体積％以上である前記の重合性組成物。
（４）  中空粒子の含有率が０．１〜８０体積％である前記の重合性組成物。
（５）  中空粒子が無機中空粒子である前記の重合性組成物。
（６）  中空粒子がカップリング剤で表面処理されたものである前記の重合性組成物。
（７）  メタセシス重合触媒がルテニウムカルベン錯体である前記の重合性組成物。【００１０】
（８）  前記の重合性組成物を塊状重合して得られる、架橋性樹脂。
（９）  前記の重合性組成物を塊状重合する工程を含む、架橋性樹脂の製造方法。
（１０）  前記の重合性組成物を支持体に塗布または含浸し、塊状重合する工程を含む、架橋性樹脂複合体の製造方法。
（１１）  前記の架橋性樹脂を架橋する工程を含む、架橋体の製造方法。
（１２）  前記の架橋性樹脂の成形体を支持体上で架橋する工程を含む、架橋樹脂複合体の製造方法。
（１３）  前記の架橋性樹脂複合体の製造方法で得られる架橋性樹脂複合体を架橋する工程を含む、架橋樹脂複合体の製造方法。
（１４）  前記架橋を別の支持体上で行う、前記の架橋樹脂複合体の製造方法。
【発明の効果】
【００１１】
本発明の重合性組成物を塊状重合し、次いで架橋させると、電気絶縁性、耐熱性、誘電特性などの特性に優れ、低誘電率と低線膨張率との両立がなされた架橋体が得られる。
この架橋体を、フィルム状の基材に積層することによって、又は繊維材と複合することによって、上記特性を備えた複合体を得ることができる。
本発明の重合性組成物を用いて得られた架橋体、及び複合体は、電気回路基板等に使用する電気材料として好適である。
【発明を実施するための最良の形態】
【００１２】
［重合性組成物］
本発明の重合性組成物は、シクロオレフィンモノマー、メタセシス重合触媒、連鎖移動剤、架橋剤、および中空粒子を含むものである。【００１３】
（１）シクロオレフィンモノマー
重合性組成物を構成するシクロオレフィンモノマーは、炭素原子で形成される環構造を有し、該環中に炭素−炭素二重結合を有する化合物である。その例として、ノルボルネン系モノマーが挙げられる。ノルボルネン系モノマーは、ノルボルネン環を含むモノマーである。具体的には、ノルボルネン類、ジシクロペンタジエン類、テトラシクロドデセン類などが挙げられる。これらは、アルキル基、アルケニル基、アルキリデン基、アリール基などの炭化水素基や、カルボキシル基又は酸無水物基などの極性基が置換基として含まれていてもよい。
また、ノルボルネン環の中の二重結合以外に、さらに二重結合を有していてもよい。これらの中でも、極性基を含まない、すなわち炭素原子と水素原子のみで構成されるノルボルネン系モノマーが好ましい。【００１４】
極性基を含まないノルボルネン系モノマーとしては、ジシクロペンタジエン、メチルジシクロペンタジエン、ジヒドロジシクロペンタジエン（トリシクロ［５．２．１．０2,6］デカ−８−エンとも言う。）などのジシクロペンタジエン類；【００１５】
テトラシクロ［６．２．１．１3,6．０2,7］ドデカ−４−エン、９−メチルテトラシクロ［６．２．１．１3,6．０2,7］ドデカ−４−エン、９−エチルテトラシクロ［６．２．１．１3,6．０2,7］ドデカ−４−エン、９−シクロヘキシルテトラシクロ［６．２．１．１3,6．０2,7］ドデカ−４−エン、９−シクロペンチルテトラシクロ［６．２．１．１3,6．０2,7］ドデカ−４−エン、９−メチレンテトラシクロ［６．２．１．１3,6．０2,7］ドデカ−４−エン、９−エチリデンテトラシクロ［６．２．１．１3,6．０2,7］ドデカ−４−エン、９−ビニルテトラシクロ［６．２．１．１3,6．０2,7］ドデカ−４−エン、９−プロペニルテトラシクロ［６．２．１．１3,6．０2,7］ドデカ−４−エン、９−シクロヘキセニルテトラシクロ［６．２．１．１3,6．０2,7］ドデカ−４−エン、９−シクロペンテニルテトラシクロ［６．２．１．１3,6．０2,7］ドデカ−４−エン、９−フェニルテトラシクロ［６．２．１．１3,6．０2,7］ドデカ−４−エンなどのテトラシクロドデセン類；【００１６】
２−ノルボルネン、５−メチル−２−ノルボルネン、５−エチル−２−ノルボルネン、５−ブチル−２−ノルボルネン、５−ヘキシル−２−ノルボルネン、５−デシル−２−ノルボルネン、５−シクロヘキシル−２−ノルボルネン、５−シクロペンチル−２−ノルボルネン、５−エチリデン−２−ノルボルネン、５−ビニル−２−ノルボルネン、５−プロペニル−２−ノルボルネン、５−シクロヘキセニル−２−ノルボルネン、５−シクロペンテニル−２−ノルボルネン、５−フェニル−２−ノルボルネン、テトラシクロ［９．２．１．０2,10．０3,8］テトラデカ−３，５，７，１２−テトラエン（１，４−メタノ−１，４，４ａ，９ａ−テトラヒドロ−９Ｈ−フルオレンとも言う。）、テトラシクロ［１０．２．１．０2,11．０4,9］ペンタデカ−４，６，８，１３−テトラエン（１，４−メタノ−１，４，４ａ，９，９ａ，１０−ヘキサヒドロアントラセンとも言う。）などのノルボルネン類；【００１７】
ペンタシクロ［６．５．１．１3,6．０2,7．０9,13］ペンタデカ−４，１０−ジエン、ペンタシクロ［９．２．１．１4,7．０2,10．０3,8］ペンタデカ−５，１２−ジエン、ヘキサシクロ［６．６．１．１3,6．１10,13．０2,7．０9,14］ヘプタデカ−４−エンなどの五環体以上の環状オレフィン類；などが挙げられる。【００１８】
極性基を含むノルボルネン系モノマーとしては、テトラシクロ［６．２．１．１3,6．０2,7］ドデカ−９−エン−４−カルボン酸メチル、テトラシクロ［６．２．１．１3,6．０2,7］ドデカ−９−エン−４−メタノール、テトラシクロ［６．２．１．１3,6．０2,7］ドデカ−９−エン−４−カルボン酸、テトラシクロ［６．２．１．１3,6．０2,7］ドデカ−９−エン−４，５−ジカルボン酸、テトラシクロ［６．２．１．１3,6．０2,7］ドデカ−９−エン−４，５−ジカルボン酸無水物、５−ノルボルネン−２−カルボン酸メチル、２−メチル−５−ノルボルネン−２−カルボン酸メチル、酢酸５−ノルボルネン−２−イル、５−ノルボルネン−２−メタノール、５−ノルボルネン−２−オール、５−ノルボルネン−２−カルボニトリル、２−アセチル−５−ノルボルネン、７−オキサ−２−ノルボルネンなどが挙げられる。【００１９】
また、本発明においては、シクロブテン、シクロペンテン、シクロオクテン、シクロドデセン、１，５−シクロオクタジエンなどの単環シクロオレフィン及び置換基を有するそれらの誘導体を上記ノルボルネン系モノマーに添加して重合に供することができる。これらのシクロオレフィンモノマーは１種単独で若しくは２種以上を組み合わせて用いることができる。２種以上のモノマーを併用し、そのブレンド比を変化させることで、得られる架橋性樹脂成形体のガラス転移温度や溶融温度を自由に制御することが可能である。単環シクロオレフィン類及びそれらの誘導体の添加量は、シクロオレフィンモノマーの全量に対して、好ましくは４０質量％以下、より好ましくは２０質量％以下である。添加量が４０質量％を超えると、塊状重合により得られる重合体の耐熱性が不十分となる場合がある。【００２０】
（２）メタセシス重合触媒
重合性組成物を構成するメタセシス重合触媒は、シクロオレフィンモノマーを、メタセシス開環重合させるものであれば特に限定されない。
メタセシス重合触媒としては、遷移金属原子を中心にして、イオン、原子、多原子イオン及び／又は化合物が複数結合してなる錯体が挙げられる。遷移金属原子としては、５族、６族及び８族（長周期型周期表、以下同じ）の原子が好ましく使用される。それぞれの族の原子は特に限定されないが、好ましい５族の原子としてはタンタルが挙げられ、好ましい６族の原子としては、モリブデン、タングステンが挙げられ、好ましい８族の原子としては、ルテニウム、オスミウムが挙げられる。【００２１】
これらの中でも、８族のルテニウムやオスミウムの錯体をメタセシス重合触媒として用いることが好ましく、ルテニウムカルベン錯体が特に好ましい。ルテニウムカルベン錯体は、塊状重合時の触媒活性が優れるため、後架橋可能な架橋性樹脂の生産性に優れ、残留未反応モノマーに由来する臭気が少ない架橋性樹脂を得ることができる。また、８族のルテニウムやオスミウムの錯体は、酸素や空気中の水分に対して比較的安定であって、失活しにくいので、大気下でも架橋性樹脂の生産が可能である。【００２２】
ルテニウムカルベン錯体は、下記の式（１）又は式（２）で表されるものである。【００２３】
【化１】
2008081885.tif 000002
【００２４】
式（１）及び式（２）において、Ｒ1及びＲ2は、それぞれ独立して水素原子、ハロゲン原子、又はハロゲン原子、酸素原子、窒素原子、硫黄原子、リン原子若しくは珪素原子を含んでもよい炭素数１〜２０の炭化水素基を表す。Ｘ1及びＸ2は、それぞれ独立して任意のアニオン性配位子を示す。Ｌ1及びＬ2はそれぞれ独立して、ヘテロ原子含有カルベン化合物又は中性電子供与性化合物を表す。また、Ｒ1とＲ2は互いに結合して環を形成してもよい。さらに、Ｒ1、Ｒ2、Ｘ1、Ｘ2、Ｌ1及びＬ2は、任意の組合せで互いに結合して多座キレート化配位子を形成してもよい。【００２５】
ヘテロ原子とは、周期律表第１５族及び第１６族の原子を意味し、具体的には、Ｎ、Ｏ、Ｐ、Ｓ、Ａｓ、Ｓｅなどを挙げることができる。これらの中でも、安定なカルベン化合物が得られる観点から、Ｎ、Ｏ、Ｐ、およびＳなどが好ましく、Ｎ（窒素原子）が特に好ましい。【００２６】
ヘテロ原子含有カルベン化合物は、カルベン炭素原子の両側にヘテロ原子が隣接して結合していることが好ましく、さらにカルベン炭素原子とその両側のヘテロ原子とを含むヘテロ環が構成されているものがより好ましい。また、カルベン炭素原子に隣接するヘテロ原子には嵩高い置換基を有していることが好ましい。【００２７】
ヘテロ原子含有カルベン化合物としては、下記の式（３）又は式（４）で表される化合物が挙げられる。【００２８】
【化２】
2008081885.tif 000003
【００２９】
（式中、Ｒ3〜Ｒ6は、それぞれ独立して水素原子、ハロゲン原子、又はハロゲン原子、酸素原子、窒素原子、硫黄原子、リン原子若しくは珪素原子を含んでもよい炭素数１〜２０個の炭化水素基を表す。また、Ｒ3〜Ｒ6は任意の組合せで互いに結合して環を形成していてもよい。）【００３０】
前記式（３）または式（４）で表される化合物としては、１，３−ジメシチルイミダゾリジン−２−イリデン、１，３−ジ（１−アダマンチル）イミダゾリジン−２−イリデン、１−シクロヘキシル−３−メシチルイミダゾリジン−２−イリデン、１，３−ジメシチルオクタヒドロベンズイミダゾール−２−イリデン、１，３−ジイソプロピル−４−イミダゾリン−２−イリデン、１，３−ジ（１−フェニルエチル）−４−イミダゾリン−２−イリデン、１，３−ジメシチル−２，３−ジヒドロベンズイミダゾール−２−イリデンなどが挙げられる。【００３１】
また、前記式（３）または式（４）で表される化合物のほかに、１，３，４−トリフェニル−２，３，４，５−テトラヒドロ−１Ｈ−１，２，４−トリアゾール−５−イリデン、１，３−ジシクロヘキシルヘキサヒドロピリミジン−２−イリデン、Ｎ，Ｎ，Ｎ’，Ｎ’−テトライソプロピルホルムアミジニリデン、１，３，４−トリフェニル−４，５−ジヒドロ−１Ｈ−１，２，４−トリアゾール−５−イリデン、３−（２，６−ジイソプロピルフェニル）−２，３−ジヒドロチアゾール−２−イリデンなどのヘテロ原子含有カルベン化合物も用い得る。【００３２】
前記式（１）及び式（２）において、アニオン（陰イオン）性配位子Ｘ1、およびＸ2は、中心金属原子から引き離されたときに負の電荷を持つ配位子である。例えば、Ｆ、Ｃｌ、Ｂｒ、Ｉなどのハロゲン原子、ジケトネート基、置換シクロペンタジエニル基、アルコキシ基、アリールオキシ基、カルボキシル基などを挙げることができる。これらの中でもハロゲン原子が好ましく、塩素原子がより好ましい。【００３３】
また、中性の電子供与性化合物は、中心金属から引き離されたときに中性の電荷を持つ配位子であればいかなるものでもよい。その具体例としては、カルボニル、アミン類、ピリジン類、エーテル類、ニトリル類、エステル類、ホスフィン類、チオエーテル類、芳香族化合物、オレフィン類、イソシアニド類、チオシアネート類などが挙げられる。これらの中でも、ホスフィン類、エーテル類及びピリジン類が好ましく、トリアルキルホスフィンがより好ましい。【００３４】
前記式（１）で表される錯体化合物としては、ベンジリデン（１，３−ジメシチルイミダゾリジン−２−イリデン）（トリシクロヘキシルホスフィン）ルテニウムジクロリド、ベンジリデン（１，３−ジメシチル−４，５−ジブロモ−４−イミダゾリン−２−イリデン）（トリシクロヘキシルホスフィン）ルテニウムジクロリド、（１，３−ジメシチル−４−イミダゾリン−２−イリデン）（３−フェニル−１Ｈ−インデン−１−イリデン）（トリシクロヘキシルホスフィン）ルテニウムジクロリド、（１，３−ジメシチルイミダゾリジン−２−イリデン）（３−メチル−２−ブテン−１−イリデン）（トリシクロペンチルホスフィン）ルテニウムジクロリド、ベンジリデン（１，３−ジメシチル−オクタヒドロベンズイミダゾール−２−イリデン）（トリシクロヘキシルホスフィン）ルテニウムジクロリド、ベンジリデン［１，３−ジ（１−フェニルエチル）−４−イミダゾリン−２−イリデン］（トリシクロヘキシルホスフィン）ルテニウムジクロリド、ベンジリデン（１，３−ジメシチル−２，３−ジヒドロベンズイミダゾール−２−イリデン）（トリシクロヘキシルホスフィン）ルテニウムジクロリド、ベンジリデン（トリシクロヘキシルホスフィン）（１，３，４−トリフェニル−２，３，４，５−テトラヒドロ−１Ｈ−１，２，４−トリアゾール−５−イリデン）ルテニウムジクロリド、（１，３−ジイソプロピルヘキサヒドロピリミジン−２−イリデン）（エトキシメチレン）（トリシクロヘキシルホスフィン）ルテニウムジクロリド、ベンジリデン（１，３−ジメシチルイミダゾリジン−２−イリデン）ピリジンルテニウムジクロリド、（１，３−ジメシチルイミダゾリジン−２−イリデン）（２−フェニルエチリデン）（トリシクロヘキシルホスフィン）ルテニウムジクロリド、（１，３−ジメシチル−４−イミダゾリン−２−イリデン）（２−フェニルエチリデン）（トリシクロヘキシルホスフィン）ルテニウムジクロリド、（１，３−ジメシチル−４，５−ジブロモ−４−イミダゾリン−２−イリデン）［（フェニルチオ）メチレン］（トリシクロヘキシルホスフィン）ルテニウムジクロリド、（１，３−ジメシチル−４，５−ジブロモ−４−イミダゾリン−２−イリデン）（２−ピロリドン−１−イルメチレン）（トリシクロヘキシルホスフィン）ルテニウムジクロリドなどの、Ｌ1およびＬ2の一方がへテロ原子含有カルベン化合物であり、他方が中性の電子供与性化合物であるルテニウム錯体化合物；【００３５】
ベンジリデンビス（トリシクロヘキシルホスフィン）ルテニウムジクロリド、（３−メチル−２−ブテン−１−イリデン）ビス（トリシクロペンチルホスフィン）ルテニウムジクロリドなどの、Ｌ1およびＬ2の両方が中性の電子供与性化合物であるルテニウム化合物；【００３６】
ベンジリデンビス（１，３−ジシクロヘキシルイミダゾリジン−２−イリデン）ルテニウムジクロリド、ベンジリデンビス（１，３−ジイソプロピル−４−イミダゾリン−２−イリデン）ルテニウムジクロリドなどの、Ｌ1およびＬ2の両方がヘテロ原子含有カルベン化合物であるルテニウム錯体化合物；などが挙げられる。【００３７】
前記式（２）で表される錯体化合物としては、（１，３−ジメシチルイミダゾリジン−２−イリデン）（フェニルビニリデン）（トリシクロヘキシルホスフィン）ルテニウムジクロリド、（ｔ−ブチルビニリデン）（１，３−ジイソプロピル−４−イミダゾリン−２−イリデン）（トリシクロペンチルホスフィン）ルテニウムジクロリド、ビス（１，３−ジシクロヘキシル−４−イミダゾリン−２−イリデン）フェニルビニリデンルテニウムジクロリドなどが挙げられる。【００３８】
これらの錯体化合物の中でも、前記式（１）で表され、かつ配位子として前記式（４）で表される化合物を１つ有するものが好ましく、前記式（１）で表され、かつＬ1およびＬ2の一方が前記式（４）で表される化合物であり、他方が中性の電子供与性化合物であるルテニウム錯体化合物が最も好ましい。【００３９】
これらのメタセシス重合触媒は、Org. Lett., １９９９年, 第１巻, ９５３頁； Tetrahedron. Lett., １９９９年, 第４０巻, ２２４７頁などに記載された方法によって製造することができる。【００４０】
メタセシス重合触媒の使用量は、（触媒中の金属原子：シクロオレフィンモノマー）のモル比で、通常１：２，０００〜１：２，０００，０００、好ましくは１：５，０００〜１：１，０００，０００、より好ましくは１：１０，０００〜１：５００，０００の範囲である。【００４１】
メタセシス重合触媒は必要に応じて、少量の不活性溶剤に溶解又は懸濁して使用することができる。かかる溶媒としては、ｎ−ペンタン、ｎ−ヘキサン、ｎ−ヘプタン、流動パラフィン、ミネラルスピリットなどの鎖状脂肪族炭化水素；シクロペンタン、シクロヘキサン、メチルシクロヘキサン、ジメチルシクロヘキサン、トリメチルシクロヘキサン、エチルシクロヘキサン、ジエチルシクロヘキサン、デカヒドロナフタレン、ジシクロヘプタン、トリシクロデカン、ヘキサヒドロインデン、シクロオクタンなどの脂環式炭化水素；ベンゼン、トルエン、キシレンなどの芳香族炭化水素；インデン、インダン、テトラヒドロナフタレンなどの芳香環と脂環との縮合環を有する炭化水素；ニトロメタン、ニトロベンゼン、アセトニトリルなどの含窒素炭化水素；ジエチルエーテル、テトラヒドロフランなどの含酸素炭化水素；などが挙げられる。これらの中では、工業的に汎用な芳香族炭化水素や脂肪族炭化水素、脂環式炭化水素の使用が好ましい。また、メタセシス重合触媒としての活性を低下させないものであれば、液状の老化防止剤、液状の可塑剤、液状のエラストマーを溶剤として用いてもよい。【００４２】
メタセシス重合触媒は、活性剤（共触媒）と併用することもできる。活性剤は、重合活性を制御し、重合反応率を向上させる目的で添加されるものである。活性剤としては、アルミニウム、スカンジウム、スズのアルキル化物、ハロゲン化物、アルコキシ化物及びアリールオキシ化物などを例示することができる。【００４３】
活性剤としては、トリアルコキシアルミニウム、トリフェノキシアルミニウム、ジアルコキシアルキルアルミニウム、アルコキシジアルキルアルミニウム、トリアルキルアルミニウム、ジアルコキシアルミニウムクロリド、アルコキシアルキルアルミニウムクロリド、ジアルキルアルミニウムクロリド、トリアルコキシスカンジウム、テトラアルコキシチタン、テトラアルコキシスズ、テトラアルコキシジルコニウムなどが挙げられる。
活性剤の使用量は、（メタセシス重合触媒中の金属原子：活性剤）のモル比で、通常、１：０．０５〜１：１００、好ましくは１：０．２〜１：２０、より好ましくは１：０．５〜１：１０の範囲である。【００４４】
また、メタセシス重合触媒として、５族及び６族の遷移金属原子の錯体を用いる場合には、メタセシス重合触媒及び活性剤は、いずれもモノマーに溶解して用いる方が好ましいが、生成物の性質を本質的に損なわない範囲であれば少量の溶剤に懸濁又は溶解させて用いることができる。【００４５】
（３）連鎖移動剤
本発明の重合性組成物は、さらに重合反応の連鎖移動剤を含有する。
連鎖移動剤としては、通常、置換基を有していてもよい鎖状のオレフィン類を用いることができる。
具体的には、１−ヘキセン、２−ヘキセンなどの脂肪族オレフィン類；スチレン、ジビニルベンゼン、スチルベンなどの芳香族基を有するオレフィン類；ビニルシクロヘキサンなどの脂環式炭化水素基を有するオレフィン類；エチルビニルエーテルなどのビニルエーテル類；メチルビニルケトン、１，５−ヘキサジエン−３−オン、２−メチル−１，５−ヘキサジエン−３−オンなどのビニルケトン類；アクリル酸スチリル、エチレングリコールジアクリレート；アリルトリビニルシラン、アリルメチルジビニルシラン、アリルジメチルビニルシラン；アクリル酸グリシジル、アリルグリシジルエーテル；アリルアミン、２−（ジエチルアミノ）エタノールビニルエーテル、２−（ジエチルアミノ）エチルアクリレート、４−ビニルアニリン；などが挙げられる。【００４６】
これらの連鎖移動剤の中でも、上記置換基として、架橋に寄与する基を有するものが好ましい。架橋に寄与する基とは、具体的には、炭素−炭素二重結合を有する基であり、ビニル基、アクリロイル基およびメタクリロイル基等が挙げられる。特に、式（Ａ）：ＣＨ2＝ＣＨ−Ｙ−ＯＣＯ−ＣＲ7＝ＣＨ2で表される化合物が好ましい。式（Ａ）中のＹはアルキレン基、Ｒ7は水素原子又はメチル基である。
アルキレン基の炭素数は特に限定されないが、通常１〜２０、好ましくは４〜１２である。この構造の連鎖移動剤を用いることで、より強度の高い架橋樹脂成形体または架橋樹脂複合体を得ることが可能になる。
式（Ａ）で表される化合物としては、メタクリル酸アリル、メタクリル酸３−ブテン−１−イル、アクリル酸アリル、アクリル酸３−ブテン−１−イル、メタクリル酸ウンデセニル、メタクリル酸ヘキセニルなどが挙げられる。中でも、メタクリル酸ウンデセニルおよびメタクリル酸ヘキセニルが特に好ましい。【００４７】
連鎖移動剤の添加量は、前記シクロオレフィンモノマーの全量に対して、通常０．０１〜１０質量％、好ましくは０．１〜５質量％である。連鎖移動剤の添加量がこの範囲であるときに、重合反応率が高く、しかも後架橋可能な熱可塑性樹脂を効率よく得ることができる。【００４８】
（４）中空粒子
本発明に用いられる中空粒子は、内部に空隙を有し、該空隙が粒子外部と接触を持たない粒子である。中空粒子の外形状は特に限定されないが、球状、板状、不定形、棒状、繊維状などが挙げられ、好ましくは球状または不定形の粒子である。
中空粒子は一次粒子の数基準粒度分布におけるメディアン径が、その長軸径を基準として通常５０μｍ以下、好ましくは０．０１〜５０μｍ、より好ましいものは０．０５〜２５μｍ、さらに好ましくは０．０５〜１０μｍ、特に好ましくは０．１〜５μｍである。中空粒子のメディアン径は、例えば、レーザー散乱回折式粒度分布計で測定することができる。
粒子径が小さすぎる中空粒子は製造が困難であり、充分な空隙率を得られない場合がある。また重合性組成物や後述するモノマー液の粘度が高くなり成形性が低下する場合がある。粒子径が大きすぎると、得られる架橋体等の誘電率に不均一な分布が生じる場合がある。また厚さの薄い架橋体等を製造することが困難で、かつ該架橋体等のドリル加工性やめっき性も低下するおそれがある。【００４９】
また中空粒子は空隙率が通常１０体積％以上、好ましくは２０〜９０体積％、より好ましくは２５〜８０体積％、特に好ましくは３０〜７０体積％である。空隙率が高すぎると、殻厚が薄くなりすぎて、重合性組成物の調製時、重合時または架橋時に中空粒子が破壊されるおそれがある。一方、空隙率が低すぎると、得られる架橋体等の比誘電率を低減する効果を十分に発現し得ない場合がある。
ここで空隙率は、アルキメデス法により測定される値であり、中空粒子自体の比重とその中空粒子を構成する材料の比重から下記の式より求められる。
空隙率＝（中空粒子を構成する材料の比重−中空粒子自体の比重）
／（中空粒子を構成する材料の比重）
例えば、中空粒子として球状シリカ中空粒子を用い、その比重の測定値が１．１ｇ／ｃｍ3である場合、これを非晶質シリカの理論比重２．２ｇ／ｃｍ3で除することによって、その平均空隙率は５０体積％と算出される。比重は、ピクノメーター法自動粉粒体真密度測定器（セイシン企業社製  商品名「オートトゥルーデンサーＭＡＴ−７０００」）を用いて測定することができる。
空隙率が小さすぎると、比誘電率を下げる効果が小さくなりやすい。空隙率が大きすぎると、中空粒子の強度が不足し破壊しやすくなる。【００５０】
中空粒子のＢＥＴ比表面積は、好ましくは０．１〜１０００ｍ2／ｇ、より好ましくは０．１〜５００ｍ2／ｇ、さらに好ましくは１〜１００ｍ2／ｇ、最も好ましくは１〜５０ｍ2／ｇである。【００５１】
中空粒子は重合性組成物中において、中空粒子の凝集体として分散していてもよいが、中空粒子が一次粒子となって分散している方が好ましい。【００５２】
中空粒子としては、無機中空粒子と有機中空粒子が挙げられる。
無機中空粒子は、公知の材質からなるものを用いることができ、無機元素の酸化物、窒化物、ホウ化物、水酸化物およびこれらの水和物などが挙げられる。中でも酸化物、窒化物およびホウ化物が、特に酸化物が、中空粒子の製造が容易であり、また線膨張率が小さいので好ましい。
無機中空粒子を構成する上記無機元素としては、Ｓｉ、Ａｌ、Ｂ、Ｚｒ、Ｔｉ、Ｆｅ、Ｃａ、Ｓｎ、Ｃｅ、Ｐ、Ｍｏ、Ｚｎ、Ｗ、Ｎｉ、Ｃｕ、Ｎｂ又はＭｇからなる群から選ばれる少なくとも一つの元素が挙げられる。【００５３】
具体的には、シリカ（ＳｉＯ2）、アルミナ（Ａｌ2Ｏ3）、酸化ジルコニウム（ＺｒＯ2）、ゼオライト、酸化チタン（ＴｉＯ2）、窒化アルミニウム（ＡｌＮ）、炭化ケイ素（ＳｉＣ）、窒化ケイ素（Ｓｉ3Ｎ4）、チタン酸バリウム（ＢａＴｉＯ3）、チタン酸ストロンチウム（ＳｒＴｉＯ3）、チタン酸カルシウム（ＣａＴｉＯ3）、シラス、ほう酸アルミニウム、ボロンナイト、炭酸カルシウム、酸化鉛、酸化すず、酸化セリウム、酸化カルシウム、四酸化三マンガン、酸化マグネシウム、セリウムジルコネイト、カルシウムシリケート、ジルコニウムシリケート、酸化インジウムスズ（ＩＴＯ）、チタンシリケート、ガラスなどが挙げられる。
このような無機中空粒子の製法は特に限定されない。具体的には、天然に採出される中空粒子を必要に応じ精製して用いることができる。また、ゾル−ゲル法など公知の方法で合成したものを用いてもよい。【００５４】
有機中空粒子としては、特に限定されず、エラストマー、熱可塑性樹脂、熱硬化性樹脂などで形成されたものが使用できる。具体的には、ポリエチレン、ポリプロピレン、ポリスチレン、ポリジビニルベンゼン、ポリシクロオレフィン、ポリフェニレンオキサイド、ポリフェニレンスルフィド、ポリサルフォン、アクリル樹脂、シリコーン、ポリアミド、ポリアミドイミド、ポリアリレート、熱可塑性ポリイミド、ポリエーテルエーテルケトン、ポリエーテルニトニル、ポリエチレンオキサイド、ポリエチレンテレフタレート、テフロン（登録商標）などフッ素樹脂、エポキシ樹脂、ポリイミド樹脂、アラミド樹脂、トリアジン樹脂、フェノール樹脂、メラミン樹脂、ポリベンゾオキサゾール、ポリベンゾイミダゾール、ポリベンゾシクロブテン、ポリエポキシアクリレート等が挙げられる。これらの中でも耐熱性の面で架橋構造を有するものがよい。
これらの有機中空粒子の製造法は特に限定されない。例えば、乳化重合、懸濁重合など公知の方法で製造することができる。【００５５】
これらは単独でまたは２種以上を組み合わせて用いることができる。これらのうち、耐熱性が高く、線膨張係数を低くできるので、無機中空粒子が好ましい。中でも、誘電率を低くできるので、Ｓｉを含むものがより好ましく、ＳｉＯ2、ＳｉＣ、Ｓｉ3Ｎ4、シラス、およびガラスを主成分とするものがさらに好ましく、ＳｉＯ2、シラス、およびガラスが特に好ましい。【００５６】
中空粒子は、シランカップリング剤、アルミネートカップリング剤、チタネートカップリング剤、シラザン類、オルガノシロキサン等のカップリング剤や、樹脂等により表面処理されたものあってもよい。このような表面処理を行った中空粒子を用いることにより、当該中空粒子とシクロオレフィンモノマーを重合して得られる樹脂との界面密着性をコントロールすることができ、それによって機械的強度や、はんだ耐熱性などの向上が期待できる。【００５７】
カップリング剤としては、公知のものが使用できる。具体的にはアリルトリメトキシシラン、３−ブテニルトリメトキシシラン、スチリルトリメトキシシラン、スチリルトリエトキシシラン、Ｎ−β−（Ｎ−（ビニルベンジル）アミノエチル）−γ−アミノプロピルトリメトキシシラン及びその塩、アリルトリクロロシラン、アリルメチルジクロロシラン、スチリルトリクロロシラン、ビニルトリメトキシシラン、ビニルトリエトキシシラン、ビニルトリアセトキシシラン、ビニルトリス（２−メトキシエトキシ）シラン、ビニルトリクロロシラン、β−メタクリロキシエチルトリメトキシシラン、β−メタクリロキシエチルトリエトキシシラン、γ−メタクリロキシプロピルトリメトキシシラン、δ−メタクリロキシブチルトリメトキシシラン、γ−アクリロキシプロピルトリメトキシシラン、γ−メルカプトプロピルトリメトキシシラン、γ−メルカプトプロピルメチルジメトキシシラン、γ−アミノプロピルトリメトキシシラン、Ｎ−フェニル−γ−アミノプロピルトリメトキシシラン、Ｎ−β−（アミノエチル）−γ−アミノプロピルトリメトキシシラン等が挙げられる。【００５８】
アルミネートカップリング剤としては、例えば、アセトアルコキシアルミニウムジイソプロピレート、アルミニウムジイソプロポキシモノエチルアセトアセテート、アルミニウムトリスエチルアセトアセテート、アルミニウムトリスアセチルアセトネート等が挙げられる。【００５９】
チタネートカップリング剤としては、例えば、トリイソステアロイルイソプロピルチタネート、ジ（ジオクチルホスフェート）ジイソプロピルチタネート、ジドデシルベンゼンスルフォニルジイソプロピルチタネート、ジイソステアリルジイソプロピルチタネート、イソプロピルトリス（ジオクチルパイロホスフェート）チタネート、ビス（ジオクチルパイロホスフェート）オキシアセテートチタネート、ビス（ジオクチルパイロホスフェート）エチレンチタネート、テトライソプロピルビス（ジオクチルホスファイト）チタネート、テトラオクチルビス（ジトリデシルホスファイト）チタネート等が挙げられる。【００６０】
シラザン類としては、ヘキサメチルジシラザン、ジビニルテトラメチルジシラザン、ジブチルテトラメチルジシラザン、ジフェニルテトラメチルジシラザンなどが挙げられる。【００６１】
これらの中でも、分散性や密着性の点で、シランカップリング剤およびシラザン類が好ましく、シランカップリング剤がより好ましい。また、シランカップリング剤およびシラザン類は、炭化水素基を有するものが好ましい。炭化水素基としては、アルキル基、アルケニル基、シクロアルキル基、およびアリール基が挙げられる。シクロアルキル基およびアリール基は、アルキル基、アルケニル基、シクロアルキル基またはアリール基を置換基として有していてもよい。中でも、炭化水素基は、炭素−炭素二重結合を有する基であることが好ましい。ここで、「炭素−炭素二重結合を有する基」とは、アルケニル基、またはアルケニル基を置換基として有するシクロアルキル基もしくはアリール基である。アルケニル基を含む基は、その炭素−炭素二重結合と、他の炭素−炭素二重結合または芳香環とで形成される共役系を有していることがさらに好ましく、炭素−炭素二重結合と芳香環とで形成される共役系を有していることが、ラジカル反応性が高いので最も好ましい。【００６２】
好ましい炭化水素基としては、ビニル基、アリル基、ブテニル基、スチリル基、シクロヘキセニル基、およびノルボルニル基が挙げられる。
最も好ましいシランカップリング剤としては、３−ブテニルトリメトキシシラン、スチリルトリメトキシシラン、スチリルトリエトキシシラン、アリルトリクロロシラン、アリルメチルジクロロシラン、スチリルトリクロロシラン、ビニルトリメトキシシラン、ビニルトリエトキシシラン、ビニルトリアセトキシシラン、ビニルトリス（２−メトキシエトキシ）シラン、ビニルトリクロロシランが挙げられる。【００６３】
これらのカップリング剤を用いることで、中空粒子が重合性組成物中で浮遊し、得られる架橋体等の中で中空粒子の分散が不均一になることを抑制できる。またはんだ耐熱性が向上したり線膨張率が低下するなど耐熱性が向上する。
これらカップリング剤による表面処理方法は、特に限定されず、カップリング剤が中空粒子表面に接触しうる条件を選択すればよい。例えば、カップリング剤を直接に中空粒子表面と接触させる乾式法、およびカップリング剤を溶媒に溶解してなる溶液に中空粒子を添加し、混合させる湿式法が挙げられるが、工程が簡単で生産性に優れるので、乾式法が好ましい。乾式法において、カップリング剤と中空粒子とを接触させる際に、加熱すれば処理時間の短縮、均一な処理が行え好ましい。
中空粒子に対するカップリング剤の量は、中空粒子１００重量部に対して、通常０．００１〜５０重量部、好ましくは０．００１〜３０重量部、より好ましくは０．０５〜１０重量部である。
表面処理されたカップリング剤量は、例えば無機中空粒子の場合、炭素量を炭素分析計で測定することにより全中空粒子に対する重量比として求めることができる。【００６４】
樹脂で表面被覆を行う場合は、その被覆方法などは公知の方法で行えばよい。具体的には、樹脂溶液中に中空粒子を加え、分散させた後に溶剤を除去する方法や、モノマーが存在する溶液中に中空粒子を加え、分散させた状態で重合を行い、被覆に用いる樹脂をインサイチュ形成する方法などが挙げられる。なお、これらの方法に用いる溶剤は特に限定されない。【００６５】
本発明の重合性組成物中での中空粒子の含有率は、通常０．１〜８０体積％、好ましくは０．５〜６０体積％、より好ましくは１〜５０体積％、特に好ましくは５〜４０体積％である。また、通常０．０１〜９５質量％、好ましくは０．１〜７５質量％、より好ましくは１〜６０質量％、特に好ましくは５〜５０質量％、最も好ましくは５〜４０質量％である。【００６６】
本発明の重合性組成物は、上記中空粒子以外に、多孔質体を併せて含有していてもよい。多孔質体は、小さい気孔を多数有し、該気孔の一部が粒子表面で開口しているものである。多孔質体の外形状は特に限定されないが、球状、板状、不定形、棒状、繊維状などが挙げられ、好ましくは球状または不定形の粒子である。これらを用いると充填性に優れ、かつ得られる架橋体等の、場所による誘電率のバラつきを小さくできる。【００６７】
多孔質体は一次粒子のメディアン径が通常５０μｍ以下、好ましくは０．０１〜５０μｍ、より好ましいものは０．０５〜２５μｍ、さらに好ましくは０．０５〜１０μｍ、特に好ましくは０．１〜５μｍである。【００６８】
また多孔質体は空隙率が好ましくは１０体積％以上、より好ましくは３０体積％以上、さらに好ましくは４０〜９０体積％、特に好ましくは５０〜８０体積％である。空隙率が小さすぎると比誘電率を下げる効果が小さくなりやすい。空隙率が大きすぎると、多孔質体の強度が不足し壊れやすくなる。ここで空隙率は、衝撃法で求められる全粒子体積（ｍｌ／ｇ）と、ＢＥＴ法により求められる細孔体積（ｍｌ／ｇ）とから、空隙率（％）＝〔細孔体積（ｍｌ／ｇ）／全粒子体積（ｍｌ／ｇ）〕×１００で求められる値である。【００６９】
多孔質体のＤｏｌｌｉｍｏｒｅ−Ｈｅａｌ法（ＤＨ法）による平均細孔径は、好ましくは０．１〜１００ｎｍ、より好ましくは０．１〜５０ｎｍ、さらに好ましくは１〜１０ｎｍである。ここでＤＨ法とは、細孔を円筒形と仮定して吸着ガスの相対圧と吸着量の増分から細孔直径の体積頻度分布を求める解析法である。平均細孔径が小さすぎると、線膨張率の低減効果が小さくなりやすい。一方平均細孔径が大きすぎると、気孔が樹脂等で埋まり、比誘電率の低下効果が小さくなりやすい。【００７０】
また細孔体積は、好ましくは０．１〜５ｍｌ／ｇ、より好ましくは０．３〜３ｍｌ／ｇ、特に好ましくは０．５〜２ｍｌ／ｇである。
細孔体積が小さすぎると比誘電率を下げる効果が小さくなりやすい。大きすぎると多孔質体の製造が困難になる。
多孔質体のＢＥＴ比表面積は、好ましくは１〜３，０００ｍ2／ｇ、より好ましくは１００〜１，０００ｍ2／ｇである。【００７１】
（５）架橋剤
重合性組成物は、塊状重合後に架橋性を有する樹脂とするために、架橋剤を含有する。
架橋剤としては、例えば、ラジカル発生剤、エポキシ化合物、イソシアネート基含有化合物、カルボキシル基含有化合物、酸無水物基含有化合物、アミノ基含有化合物、ルイス酸などが挙げられる。これらは１種単独で又は２種以上を組み合わせて使用することができる。これらの中でも、ラジカル発生剤、エポキシ化合物、イソシアネート基含有化合物、カルボキシル基含有化合物および酸無水物基含有化合物が好ましく、ラジカル発生剤、エポキシ化合物およびイソシアネート基含有化合物がより好ましく、ラジカル発生剤が特に好ましい。【００７２】
ラジカル発生剤としては、有機過酸化物、ジアゾ化合物、非極性ラジカル発生剤などが挙げられ、有機過酸化物および非極性ラジカル発生剤が好ましい。
有機過酸化物は特に限定されないが、例えば、ｔ−ブチルヒドロペルオキシド、ｐ−メンタンヒドロペルオキシド、クメンヒドロペルオキシドなどのヒドロペルオキシド類；ジクミルペルオキシド、ｔ−ブチルクミルペルオキシド、α，α’−ビス（ｔ−ブチルペルオキシ−ｍ−イソプロピル）ベンゼン、ジ−ｔ−ブチルペルオキシド、２，５−ジメチル−２，５−ジ（ｔ−ブチルペルオキシ）−３−ヘキシン、２，５−ジメチル−２，５−ジ（ｔ−ブチルペルオキシ）ヘキサンなどのジアルキルペルオキシド類；ジプロピオニルペルオキシド、ベンゾイルペルオキシドなどのジアシルペルオキシド類；２，２−ジ（ｔ−ブチルペルオキシ）ブタン、１，１−ジ（ｔ−ヘキシルペルオキシ）シクロヘキサン、１，１−ジ（ｔ−ブチルペルオキシ）−２−メチルシクロヘキサン、１，１−ジ（ｔ−ブチルペルオキシ）シクロヘキサンなどのペルオキシケタール類；ｔ−ブチルペルオキシアセテート、ｔ−ブチルペルオキシベンゾエートなどのペルオキシエステル類；ｔ−ブチルペルオキシイソプロピルカルボナート、ジ（イソプロピルペルオキシ）ジカルボナートなどのペルオキシカルボナートｔ−ブチルトリメチルシリルペルオキシドなどのアルキルシリルペルオキサシド類およびペルオキシケタール類；などが挙げられる。中でも、メタセシス重合反応に対する障害が少ない点で、ジアルキルペルオキシド類およびペルオキシケタール類が好ましい。【００７３】
ジアゾ化合物としては、例えば、４，４’−ビスアジドベンザル（４−メチル）シクロヘキサノン、４，４’−ジアジドカルコン、２，６−ビス（４’−アジドベンザル）シクロヘキサノン、２，６−ビス（４’−アジドベンザル）−４−メチルシクロヘキサノン、４，４’−ジアジドジフェニルスルホン、４，４’−ジアジドジフェニルメタン、２，２’−ジアジドスチルベンなどが挙げられる。【００７４】
本発明に用いられる非極性ラジカル発生剤は、双極子モーメントが、通常０．５以下、好ましくは０．３以下、より好ましくは０．１５以下で加熱によりラジカルを発生し、架橋反応を開始させることができる化合物である。非極性ラジカル発生剤としては、２，３−ジメチル−２，３−ジフェニルブタン、２，３−ジフェニルブタン、１，４−ジフェニルブタン、３，４−ジメチル−３，４−ジフェニルヘキサン、１，１，２，２−テトラフェニルエタン、２，２，３，３−テトラフェニルブタン、３，３，４，４−テトラフェニルヘキサン、１，１，２−トリフェニルプロパン、１，１，２−トリフェニルエタン、トリフェニルメタン、１，１，１−トリフェニルエタン、４，５−ジメチル−４，５−ジフェニルオクタン、１，１，１−トリフェニルプロパン、１，１，１−トリフェニルブタン、１，１，１−トリフェニルペンタン、１，１，１−トリフェニル−２−プロペン、１，１，１−トリフェニル−４−ペンテン、１，１，１−トリフェニル−２−フェニルエタンなどが挙げられる。【００７５】
これらの架橋剤は、１種単独で又は２種以上を組み合わせて用いることができる。２種以上の架橋剤を併用し、そのブレンド比を変化させることで、得られる架橋性樹脂のガラス転移温度や溶融状態を自由に制御することが可能である。
ラジカル発生剤は、１分間半減期温度が好ましくは１５０〜３５０℃、より好ましくは２００〜３００℃である。なお、本発明において、１分間半減期温度とは、ラジカル発生剤が分解して１分間で半量となる温度を表す。【００７６】
架橋剤の使用量は、シクロオレフィンモノマー１００質量部に対して、通常０．１〜１０質量部、好ましくは０．５〜５質量部である。架橋剤の量があまりに少ないと架橋が不十分となり、高い架橋密度の架橋樹脂が得られなくなるおそれがある。架橋剤の量が多すぎる場合には、架橋効果が飽和する一方で、所望の物性を有する熱可塑性樹脂及び架橋樹脂が得られなくなるおそれがある。【００７７】
また本発明においては、その架橋反応を促進させるために、架橋助剤を使用することができる。架橋助剤としては、ｐ−キノンジオキシムなどのジオキシム化合物；ラウリルメタクリレート、トリメチロールプロパントリメタクレートなどのメタクリレート化合物；ジアリルフマレートなどのフマル酸化合物：ジアリルフタレートなどのフタル酸化合物、トリアリルシアヌレート、トリメタアリルシアヌレートなどのシアヌル酸化合物；マレイミドなどのイミド化合物；などが挙げられる。また、ジイソプロペニルベンゼン、トリイソプロペニルベンゼン、およびトリメタアリルイソシアネート等の、イソプロペニル基を２以上有する化合物も好適に用いることができる。架橋助剤の使用量は特に限定されないが、シクロオレフィンモノマー１００質量部に対して、通常０〜１００質量部、好ましくは０〜５０質量部である。【００７８】
（６）その他の添加剤
前記重合性組成物には、各種の添加剤、例えば、重合反応遅延剤、ラジカル架橋遅延剤、強化材、改質剤、酸化防止剤、難燃剤、着色剤、光安定剤などを含有させることができる。  また、上記中空粒子および多孔質体以外の充填材を添加してもよい。その形状は特に限定されないが、球状、不定形、棒状、板状などが挙げられる。充填材の材質は特に限定されず、上記中空粒子と同様のものを用いることができる。これらは、予め後述するモノマー液又は触媒液に溶解又は分散させて用いることができる。【００７９】
重合反応遅延剤としては、例えば、トリフェニルホスフィン、トリブチルホスフィン、トリメチルホスフィン、トリエチルホスフィン、ジシクロヘキシルホスフィン、ビニルジフェニルホスフィンなどのホスフィン類；アニリン、ピリジンなどのルイス塩基；が挙げられる。中でも、本発明の重合性組成物の可使時間を効率よく制御でき、重合反応の阻害が少ないので、ホスフィン類が好ましい。【００８０】
また、ノルボルネン系モノマーと共重合可能な環状オレフィン系モノマーのうち、分子内に１，５−ジエン構造や１，３，５−トリエン構造を有する環状オレフィンは重合反応遅延剤としても機能する。このような化合物としては、１，５−シクロオクタジエン、５−ビニル−２−ノルボルネンなどが挙げられる。【００８１】
ラジカル架橋遅延剤としては、アルコキシフェノール類、カテコール類、ベンゾキノン類が挙げられ、３，５−ジ−ｔ−ブチル−４−ヒドロキシアニソールなどのアルコキシフェノール類が好ましい。【００８２】
強化材としては、チョッブドストランド、ミルドファイバー等の短繊維状の粉体が挙げられ、その繊維の種類としては、ガラス繊維、紙基材、カーボン繊維、金属繊維、アラミド繊維などが挙げられる。【００８３】
改質剤としては、天然ゴム、ポリブタジエン、ポリイソプレン、スチレン−ブタジエン共重合体（ＳＢＲ）、スチレン−ブタジエン−スチレンブロック共重合体（ＳＢＳ）、スチレン−イソプレン−スチレンブロック共重合体（ＳＩＳ）、エチレン−プロピレン−ジエンターポリマー（ＥＰＤＭ）、エチレン−酢酸ビニル共重合体（ＥＶＡ）及びこれらの水素化物などのエラストマーなどが挙げられる。【００８４】
酸化防止剤としては、ヒンダードフェノール系、リン系、アミン系などの各種のプラスチック・ゴム用酸化防止剤などが挙げられる。これらの酸化防止剤は単独で用いてもよいが、二種以上を組合せて用いることが好ましい。【００８５】
難燃剤としては、リン系難燃剤、窒素系難燃剤、ハロゲン系難燃剤、水酸化アルミニウムなどの金属水酸化物系難燃剤、三酸化アンチモンなどのアンチモン化合物、などが挙げられる。難燃剤は単独で用いてもよいが、二種以上を組合せて用いることが好ましい。【００８６】
上記中空粒子および多孔質体以外の充填材としては、ガラス粉末、セラミック粉末、シリカなどが挙げられる。これら充填材は、二種類以上を併用してもよい。該充填剤として、シランカップリング剤等で表面処理したものを用いることもできる。【００８７】
着色剤としては、染料、顔料などが用いられる。染料の種類は多様であり、公知のものを適宜選択して使用すればよい。【００８８】
重合性組成物は、その調製する方法によって特に限定されない。重合性組成物は、例えば、メタセシス重合触媒を適当な溶媒に溶解若しくは分散させた液（以下、「触媒液」ということがある。）を調製し、別にシクロオレフィンモノマーに中空粒子、難燃剤などの添加剤を必要に応じて配合した液（以下、「モノマー液」ということがある。）を調製し、該モノマー液に触媒液を添加し、攪拌することによって調製できる。モノマー液と触媒液との混合は次に述べる塊状重合を行う直前に行うことが好ましい。また、連鎖移動剤、架橋剤、ラジカル架橋遅延剤などは、モノマー液と触媒液を混合する前にモノマー液及び／又は触媒液に添加してもよいし、モノマー液と触媒液とを混合した後に添加してもよい。【００８９】
中空粒子をモノマー液に分散させて用いる場合は、モノマー液中の中空粒子の粒度分布において、ｄ９０の粒子径が１００μｍ以下の微粒子となっていることが好ましい。なお、ｄ９０は、数基準粒度分布において小さい方から累積して９０％の粒子を含む粒子径である。ｄ５０はメディアン径である。【００９０】
中空粒子をモノマー液に分散させるための分散装置は公知のものを用いることができる。
例えば、ミックスマラー、ボールミル、ニーダー、ヘンシェルミキサー、ロールミル、バンバリミキサー、リボンミキサー、ホモジナイザー、二軸押し出し機、らいかい機などホイール型、ボール型、ブレード型、ロール型などの装置が挙げられる。【００９１】
［架橋性樹脂及び架橋性樹脂複合体］
本発明の架橋性樹脂は、前記重合性組成物を塊状重合することによって得られる。
重合性組成物を塊状重合する方法としては、（ａ）重合性組成物を支持体に注ぐか又は塗布し、塊状重合する方法、（ｂ）重合性組成物を型内に注ぎこみ、塊状重合する方法、（ｃ）重合性組成物を支持体に含浸し塊状重合する方法などが挙げられる。なお、（ａ）又は（ｃ）の方法によって前記重合性組成物を塊状重合すると、支持体と架橋性樹脂とを含む架橋性樹脂複合体が得られる。【００９２】
（ａ）の方法によれば、架橋性樹脂と支持体とから形成される架橋性樹脂複合体が得られる。ここで用いる支持体としては、ポリエチレンテレフタレート、ポリプロピレン、ポリエチレン、ポリカーボネート、ポリエチレンナフタレート、ポリアリレート、ナイロンなどの樹脂；鉄、ステンレス、銅、アルミニウム、ニッケル、クロム、金、銀などの金属材料；などからなるものが挙げられる。その形状は特に限定されないが、金属箔又は樹脂フィルムの使用が好ましい。例えば、支持体に銅箔を用いた場合、樹脂付き銅箔（Resin Coated Copper (RCC)）を得ることができる。これら金属箔又は樹脂フィルムの厚さは、作業性などの観点から、通常１〜１５０μｍ、好ましくは２〜１００μｍ、より好ましくは３〜７５μｍである。これらの支持体の表面は平滑であることが好ましい。また、これらの支持体表面は、プラズマなどによる酸化処理；黒化処理などの化学処理；シランカップリング剤などによるカップリング剤処理；などの表面処理をしてあることが好ましい。【００９３】
重合性組成物を支持体へ塗布する方法は特に限定されず、スプレーコート法、ディップコート法、ロールコート法、カーテンコート法、ダイコート法、スリットコート法などの公知の塗布方法が挙げられる。【００９４】
塊状重合はメタセシス重合触媒が機能する温度まで重合性組成物を加熱することによって開始される。
重合性組成物を所定温度に加熱する方法としては、特に限定されず、加熱プレート上に載せて加熱する方法、プレス機を用いて加圧しながら加熱（熱プレス）する方法、加熱したローラーで押圧する方法、加熱炉を用いる方法などが挙げられる。
以上のようにして得られる架橋性樹脂フィルムは、厚さが通常１５ｍｍ以下、好ましくは１０ｍｍ以下、より好ましくは５ｍｍ以下、特に好ましくは１ｍｍ以下である。【００９５】
（ｂ）の方法によれば、任意の形状の架橋性樹脂の成形体を得ることができる。その形状としては、シート状、フィルム状、柱状、円柱状、多角柱状等が挙げられる。【００９６】
ここで用いる型としては、従来公知の成形型、例えば、割型構造すなわちコア型とキャビティー型を有する成形型を用いることができ、それらの空隙部（キャビティー）に重合性組成物を注入して塊状重合させる。コア型とキャビティー型は、目的とする成形品の形状にあった空隙部を形成するように作製される。また、成形型の形状、材質、大きさなどは特に限定されない。また、ガラス板や金属板などの板状成形型と所定の厚さのスペーサーとを用意し、スペーサーを２枚の板状成形型で挟んで形成される空間内に重合性組成物を注入することにより、シート状又はフィルム状の架橋性樹脂成形体を得ることができる。【００９７】
重合性組成物を成形型のキャビティー内に充填する際の充填圧力（注入圧）は、通常０．０１〜１０ＭＰａ、好ましくは０．０２〜５ＭＰａである。充填圧力が低すぎると、キャビティー内周面に形成された転写面の転写が良好に行われない傾向にあり、充填圧が高すぎると、成形型の剛性を高くしなければならず経済的ではない。型締圧力は通常０．０１〜１０ＭＰａの範囲内である。【００９８】
（ｃ）の方法で用いられる支持体は、繊維材である。この方法によれば、架橋性樹脂が繊維材に含浸された架橋性樹脂複合体であるプリプレグを得ることができる。ここで用いる繊維材の材質は、有機及び／又は無機の繊維であり、例えば、ガラス繊維、炭素繊維、アラミド繊維、ポリエチレンテレフタレート繊維、ビニロン繊維、ポリエステル繊維、アミド繊維、金属繊維、セラミック繊維、ポリアリレート繊維、フッ素樹脂繊維などの公知のものが挙げられる。これらは１種単独で、あるいは２種以上を組み合わせて用いることができる。繊維材の形状としては、マット、クロス、不織布などが挙げられる。また、これらの繊維材はその表面がプラズマなどによる酸化処理；黒化処理などの化学処理；シランカップリング剤などによるカップリング剤処理；などの表面処理をしてあることが好ましい。【００９９】
重合性組成物の繊維材への含浸は、例えば、重合性組成物の所定量を、スプレーコート法、ディップコート法、ロールコート法、カーテンコート法、ダイコート法、スリットコート法等の公知の方法により繊維材に塗布し、必要に応じてその上に保護フィルムを重ね、上側からローラーなどで押圧することにより行うことができる。支持体としての金属箔又は樹脂フィルムと繊維材とを併用し、金属箔又は樹脂フィルム上に繊維材を設置し、次いで同様にして重合性組成物を繊維材に含浸させてもよい。重合性組成物を繊維材に含浸させた後、含浸物を所定温度に加熱することにより、重合性組成物を塊状重合させることができ、それによって架橋性樹脂が含浸されたプリプレグが得られる。【０１００】
含浸物の加熱方法は特に限定されず、前記（ａ）の方法と同様の方法が採用でき、含浸物をさらに他の支持体上に設置して加熱してもよい。また、繊維材を設置した型内に重合性組成物を注入し、重合性組成物を含浸させてから前記（ｂ）の方法に従い塊状重合してもよい。【０１０１】
重合性組成物は従来の樹脂ワニスと比較して低粘度であり、繊維材に対する含浸性に優れるので、繊維材に架橋性樹脂を均一に含浸させることができる。
また、重合性組成物は反応に関与しない溶媒等の含有量が少ないので、繊維材に含浸させた後に溶媒を除去するなどの工程が不要であり、生産性に優れ、残存溶媒による臭気やフクレ等も生じない。さらに、本発明の架橋性樹脂は保存安定性に優れるので、得られるプリプレグは保存安定性に優れる。【０１０２】
上記（ａ）、（ｂ）及び（ｃ）のいずれの方法においても、重合性組成物を重合させるための加熱温度は、通常５０〜２５０℃、好ましくは１００〜２００℃である。重合時間は適宜選択すればよいが、通常、１０秒間から２０分間、好ましくは５分間以内である。【０１０３】
重合性組成物を所定温度に加熱することにより重合反応が開始する。この重合反応は発熱反応であり、一旦塊状重合反応が開始すると、反応液の温度が急激に上昇し、短時間（例えば、１０秒間から５分間程度）でピーク温度に到達する。重合反応時の最高温度があまりに高くなると、架橋反応が起きて架橋体になってしまい、後架橋可能な架橋性樹脂が得られないおそれがある。したがって、重合反応のみを完全に進行させ、架橋反応が進行しないようにするためには、塊状重合反応時のピーク温度を、前記架橋剤の１分間半減期温度以下、好ましくは２３０℃以下、より好ましくは２００℃未満に制御することが好ましい。【０１０４】
本発明の架橋性樹脂は、架橋可能な樹脂である。ここで「架橋可能な」は、樹脂を加熱することによって、架橋反応が進行して架橋体になり得る性質を表わす。
また、本発明の架橋性樹脂複合体は、該架橋性樹脂と前記支持体とが一体化されてなる複合材料である。【０１０５】
本発明の架橋性樹脂は、前述した重合性組成物の塊状重合反応がほぼ完全に進行するので、残留モノマーが少なくなっており、モノマーに由来する臭気等で作業環境が悪化することがない。また、前記の架橋剤として分解温度の高いものを用いると、架橋時において、架橋性樹脂が適度に流動し、金属箔などの支持体との密着性、配線板への埋め込み性が良好になる。また、上記架橋剤によって得られる架橋体は、誘電損失（ｔａｎδ）が著しく小さくなっており、電気特性に優れている。【０１０６】
本発明の架橋性樹脂は、ベンゼン、トルエンなどの芳香族炭化水素、ジエチルエーテル、テトラヒドロフランなどのエーテル類、ジクロロメタン、クロロホルムなどのハロゲン化炭化水素等の溶媒に可溶であることが好ましい。また、熱可塑性を示すので、架橋反応が起きない程度の温度で溶融成形を行うことによって様々な形状を形成できる。【０１０７】
本発明の架橋性樹脂の成形体は、一部分が架橋体になっているものであってもよい。例えば、型内で重合性組成物を塊状重合したときには、型の中心部分は重合反応熱が発散しにくいので、型内の一部の温度が高くなりすぎる場合がある。高温部では架橋反応が起き、架橋体になってしまうことがある。しかし、熱を発散しやすい表面部が後架橋可能な架橋性樹脂で形成されていれば、本発明の架橋性樹脂の成形体としての効果を十分に享受できる。架橋性樹脂の複合体においても、同様に架橋性樹脂の一部が架橋体になっていてもよい。【０１０８】
本発明の架橋性樹脂は、塊状重合がほぼ完全に進行して得られるものであるので、保管中にさらに重合反応が進行するという恐れがない。本発明の架橋性樹脂は過酸化物などの架橋剤を含有しているが、架橋反応を起す温度以上に加熱しない限り、表面硬度が変化するなどの不具合が生じず、保存安定性に優れている。【０１０９】
［架橋体］
本発明の架橋体は前記架橋性樹脂を架橋してなるものである。
架橋性樹脂の架橋は、例えば、本発明の架橋性樹脂を加熱溶融するなどして、架橋性樹脂が架橋反応を起す温度以上に維持することによって行うことができる。架橋性樹脂を架橋させるときの温度は、前記塊状重合時のピーク温度より２０℃以上高いことが好ましく、通常１７０〜２５０℃、好ましくは１８０〜２２０℃である。また、架橋する時間は特に限定されないが、通常数分間から数時間である。【０１１０】
架橋性樹脂がシート状又はフィルム状の成形体である場合には、該成形体を基材に必要に応じて積層し、熱プレスする方法が好ましい。熱プレスするときの圧力は、通常０．５〜２０ＭＰａ、好ましくは３〜１０ＭＰａである。熱プレスは、真空または減圧雰囲気下で行ってもよい。熱プレスは、平板成形用のプレス枠型を有する公知のプレス機、シートモールドコンパウンド（ＳＭＣ）やバルクモールドコンパウンド（ＢＭＣ）などのプレス成形機を用いて行なうことができる。【０１１１】
［架橋樹脂複合体］
本発明の架橋樹脂複合体は、前記架橋体と支持体とを含んでなるものである。
本発明の架橋樹脂複合体は、前述の架橋性樹脂複合体を架橋することによって得られる。また、架橋性樹脂成形体を支持体上で加熱して架橋することによっても得られる。
さらに、架橋性樹脂複合体を別の支持体上で加熱して架橋することによっても得られる。具体的には、前記（ａ）の方法で得られる、架橋性樹脂と支持体とから形成される架橋性樹脂複合体と、別の支持体とを、架橋性樹脂と該別の支持体とが接するように積層し、次いで、加熱して架橋する方法；前記（ｃ）の方法で得られるプリプレグを、別の支持体と接するように積層し、次いで、加熱して架橋する方法；が挙げられる。【０１１２】
架橋性樹脂成形体又は架橋性樹脂複合体を支持体上で加熱して架橋する方法としては、熱プレスによる方法が挙げられる。例えば、板状またはフィルム状に成形された架橋性樹脂を、熱プレスによって、支持体に積層させ、さらに加熱を続けることによって架橋性樹脂を架橋することができる。熱プレスの条件は、前記架橋性樹脂を架橋する場合と同様である。
ここで用いられる新たな支持体としては、銅箔、アルミ箔、ニッケル箔、クロム箔、金箔、銀箔などの金属箔；プリント配線板；導電性ポリマーフィルム、他の樹脂フィルムなどのフィルム類；などが挙げられる。また、該支持体としてプリント配線板を用いると、多層プリント配線板を製造することができる。
銅箔などの金属箔やプリント配線板上の導電層は、その表面が、シランカップリング剤、チオール系カップリング剤、チタネート系カップリング剤、各種接着剤などで処理されているものが好ましい。これらのうちシランカップリング剤で処理されているものが特に好ましい。また、黒化処理などの化学処理を施されているものも好ましい。【０１１３】
本発明の架橋性樹脂は流動性及び密着性に優れているので、平坦性に優れ、かつ、支持体との密着性に優れた複合体を得ることができる。本発明の複合体は、例えば、支持体として超平滑（ＳＬＰ）銅箔を用いた場合には、ＪＩＳ  Ｃ６４８１に基づいて測定した剥離強度が、好ましくは０．４ｋＮ／ｍ以上、より好ましくは０．６ｋＮ／ｍ以上である。【０１１４】
本発明の架橋体及び複合体は、電気絶縁性、機械的強度、耐熱性、誘電特性などに優れている。また複合体は、支持体との密着性が良好であり、電気材料として好適である。
【実施例】
【０１１５】
以下、実施例および比較例により本発明をさらに具体的に説明するが、本発明はこれらの実施例に限定されるものではない。なお、実施例および比較例における部および％は、特に断りのない限り質量基準である。【０１１６】
実施例および比較例における各特性は、下記の方法に従い測定、評価した。
（１）混合性
重合性組成物をガラスクロスに含浸して３０秒間経過後、重合性組成物中の充填剤（中空粒子）が重合性組成物表面に浮き出て分離しているか否かを目視観察した。
分離無し：  ○
分離有り：  ×【０１１７】
（２）比誘電率
インピーダンスアナライザー（アジレントテクノロジー社製、型番号Ｅ４９９１Ａ）を用いて周波数１ＧＨｚにおける比誘電率（ε）を容量法にて測定した。
εが３．５未満をＡ、  ３．５以上３．６未満をＢ、  ３．６以上をＣと判定した。εが小さいほど、電気特性に優れることを表す。【０１１８】
（３）はんだ耐熱性（フロート）
２６０℃のはんだ浴に、２０秒間、積層板を浮かべ、積層板のフクレ、ゆがみの有無を観察した。
フクレ、ゆがみ；０〜１個  ：Ａ
フクレ、ゆがみ；２〜３個  ：Ｂ
フクレ、ゆがみ；４個以上  ：Ｃ
（４）はんだ耐熱性（浸漬）
また、２６０℃のはんだ浴に、６０秒間、積層板を浸浸し、積層板のフクレ、ゆがみの有無を観察した。
フクレ、ゆがみ；０〜１個  ：Ａ
フクレ、ゆがみ；２〜３個  ：Ｂ
フクレ、ゆがみ；４個以上  ：Ｃ【０１１９】
（５）流動性
積層板をエッチングし、目視観察で白化した部分（流動性不良によるカスレ）の個数を数えた。
Ａ：ゼロ個、Ｂ：１〜３個、Ｃ：４個以上【０１２０】
（６）線膨張率
セイコーインスツル社製の熱分析装置ＴＭＡＳＳ６１００を用いて測定した。エッチングで銅箔を除去した積層板（厚さ１ｍｍ）を用い、５０℃〜１００℃までの線膨張率を測定した。線膨張率が６０ｐｐｍ未満ならＡ、６０ｐｐｍ以上７０ｐｐｍ未満ならＢ、７０ｐｐｍ以上８０ｐｐｍ未満ならＣ、８０ｐｐｍ以上ならＤとした。【０１２１】
実施例１
ガラス製フラスコ中で、ベンジリデン（１，３−ジメチル−４−イミダゾリジン−２−イリデン）（トリシクロヘキシルホスフィン）ルテニウムジクロリド５１部と、トリフェニルホスフィン７９部とを、トルエン９５２部に溶解させて触媒液を調製した。
ポリエチレン製の瓶に、シクロオレフィンモノマーとして２−ノルボルネン（ＮＢ）４０部およびテトラシクロ［６．２．１．１3,6．０2,7］ドデカ−４−エン（ＴＣＤ）６０部を入れ、ここに連鎖移動剤としてアリルメタクリレート０．７４部、架橋剤としてジ−ｔ−ブチルペルオキシド（１分間半減期温度１８６℃）１．２部、分散剤としてトリステアリルイソプロポキシチタネート（プレンアクトＴＴＳ、味の素ファインテクノ製）１部、および中空粒子としてシラスバルーン（ＳＦＢ１０１、シラックスウ社製、粒径１０μｍ、空隙率６０体積％）２９．５部を加え混合してモノマー液を調製した。上記触媒液をシクロオレフィンモノマー１００ｇあたり０．１２ｍｌの割合で加えて撹拌し、重合性組成物を調製した。【０１２２】
次いで、この重合性組成物１００部をポリエチレンナフタレートフィルム（タイプＱ５１、厚み７５μｍ、帝人デュポンフィルム社製）の上に流延し、その上にガラスクロス（品番２１１２、厚み６９μｍ）を敷いて、その上に上記重合性組成物８０部を流延した。その上に、さらにポリエチレンナフタレートフィルムを被せ、ローラーを用いて重合性組成物をガラスクロス全体に浸み込ませた。次いで、これを１５０℃に熱した加熱炉中に１分間放置し、重合性組成物を塊状重合させ、厚さ０．１３ｍｍのプリプレグを得た。【０１２３】
このプリプレグを１００ｍｍ角の大きさに切り出し、ポリエチレンナフタレートフィルムを剥離した。それを６枚重ね、熱プレスにて、３ＭＰａ、２００℃で１５分間加熱圧着し、積層板を作製した。この積層板について評価した結果を表１に示す。【０１２４】
【表１】
2008081885.tif 000004
【０１２５】
実施例２
シラスバルーンに代えて、中空シリカ（ＤＢＳ−０３５０、電気化学工業社製、粒径３μｍ、空隙率５２体積％）４７部を使用した他は、実施例１と同様にして重合性組成物、プリプレグおよび積層板を得た。各特性を評価した結果を表１に示す。【０１２６】
実施例３
ＮＢ４０部およびＴＣＤ６０部に代えて、ジシクロペンタジエン（ＤＣＰ）１００部を使用した他は、実施例２と同様にして重合性組成物、プリプレグおよび積層板を得た。各特性を評価した結果を表１に示す。【０１２７】
実施例４
ガラス容器中に、中空シリカ（ＤＢＳ−０３５０、電気化学工業社製、粒径３μｍ、空隙率５２体積％）を１００部入れ、ヘキサメチルジシラザン（ＨＭＤＳ）１部を入れて窒素を流しながら攪拌機（日本精機製作所社製  エクセルオートホモジナイザー）で１５分間攪拌し、表面処理を行った。得られた表面処理中空シリカをイナートオーブンに入れて、１００℃で窒素を流しながら１時間乾燥させた。シラスバルーンに代えて、この表面処理中空シリカを４７部使用した他は、実施例１と同様にして重合性組成物、プリプレグおよび積層板を得た。各特性を評価した結果を表１に示す。【０１２８】
実施例５
ヘキサメチルジシラザン１部に代えて、ｐ−スチリルトリメトキシシラン（信越化学工業社製、製品名ＫＢＭ−１４０３）１部を用いた他は、実施例４と同様にして表面処理中空シリカを得た。シラスバルーンに代えて、この表面処理中空シリカを４７部使用した他は、実施例１と同様にして重合性組成物、プリプレグおよび積層板を得た。各特性を評価した結果を表１に示す。【０１２９】
比較例１
シラスバルーンに代えて、球状シリカ（ＦＢ−１０５、電気化学工業社製、粒径１２μｍ、空隙率０体積％）を１００部使用した他は、実施例１と同様にして重合性組成物、プリプレグおよび積層板を得た。各特性を評価した結果を表２に示す。【０１３０】
比較例２
球状シリカＦＢ−１０５の使用量を５０部に変えた他は、比較例１と同様にして重合性組成物、プリプレグおよび積層板を得た。各特性を評価した結果を表２に示す。【０１３１】
比較例３
ＮＢ４０部およびＴＣＤ６０部に代えて、ジシクロペンタジエン（ＤＣＰ）１００部を使用し、連鎖移動剤および架橋剤を使用しなかった他は、実施例１と同様にして重合性組成物、プリプレグおよび積層板を得た。各特性を評価した結果を表２に示す。【０１３２】
比較例４
シラスバルーンに代えて、整泡剤（Ｘ−２０−１６１２、信越化学工業社製）４７部を使用した他は比較例３と同様にして重合性組成物を調製した。次いで、該重合性組成物をローラーを使用せずに含浸させた他は比較例３と同様にしてプリプレグおよび積層板を得た。各特性を評価した結果を表２に示す。
該プリプレグに含まれる樹脂中の気泡の体積率（すなわち、プリプレグの体積からガラスクロスの体積を差し引いた残分中の気泡の体積率）は３０体積％であった。気泡の体積率は、整泡剤を用い無かった他は比較例４と同様にして重合性組成物を調製し、それを用いて得たプリプレグの比重（すなわち、樹脂とガラスクロスだけの比重）を求め、さらに、比較例４で得られたプリプレグの比重を求め、この二つの比重から算出した。比較例４で得られた重合性組成物は気泡が浮き上がってきており混合性が×であった。【０１３３】
【表２】
2008081885.tif 000005
【０１３４】
表１に示すように、本発明の実施例は、重合性組成物中から充填剤が浮き出したりということがなく、はんだ耐熱性が高く、線膨張率が低く、流動性に優れ、各特性バランスが良い。
これに対して、表２に示すように、非中空粒子を用いた比較例１及び比較例２は、比誘電率、線膨張率などの特性バランスを採る事が難しく、比誘電率を低くしようとすると線膨張率が高くなり、線膨張率を低くしようとすると比誘電率が高くなってしまう。
【国際調査報告】
2008081885.tif 000006
2008081885.tif 000007
2008081885.tif 000008
2008081885.tif 000009